(57)【特許請求の範囲】
【請求項１】
床下地構造において基盤と壁との隅に載置される際根太であって、所定間隔をおいて平行に延長する一対の縦材と、これら一対の縦材の表面全長に亘って架け渡される横材とを有して、表面が平滑に形成され、一対の縦材のうち少なくとも壁から離れて位置する縦材の外側面には桟木を連結可能とするための実が形成されることを特徴とする際根太。
【請求項２】
床下地構造において基盤と壁との隅に載置される際根太であって、所定間隔をおいて平行に延長する一対の縦材と、これら一対の縦材の内側面間に架け渡される複数の横材とを有して平面視梯子状に形成され、一対の縦材のうち少なくとも壁から離れて位置する縦材の外側面には桟木を連結可能とするための実が形成されることを特徴とする際根太。
【請求項３】
実が形成される縦材の外側面に実に隣接して段部が形成されることを特徴とする、請求項１または２記載の際根太。
【発明の詳細な説明】
【技術分野】
【０００１】
本発明は床下地構造の際根太に関する。
【背景技術】
【０００２】
床下地構造は、木質系の戸建住宅の二階などの床下地、または集合住宅の二階以上の床下地などに好適に適用され、床上で発生する生活騒音が階下に伝搬することを抑制する。このような床下地構造は、大引きの上に敷設された厚物合板（たとえば厚さ２４ｍｍ、２８ｍｍなどの合板）や、大引きとその上の根太の上に敷設された１２ｍｍ合板などの基盤の上に設けられる。
【０００３】
このような床下地構造における際根太として、下記特許文献１に示されるものがある。この特許文献においては、壁材２（同公報に記載の符号、以下同じ）に対し、床基盤１上に一定の高さとなるように、且つ、壁材２との間を一定に保つように、際根太３が設けられる（段落０００９）。また、床材５における際根太３に支持された部分を除いた下面と床基盤１との対向面間には、制振ゴム８などが設けられ、必要により伸縮可能にされた支持部材９が所定間隔毎に設けられる（段落００１０）。
【特許文献１】特開２００２−３０９７５７号公報
【発明の開示】
【発明が解決しようとする課題】
【０００４】
上記従来の際根太は、際根太と壁材との間に粘着シートが介在しているので、床上を歩行したり、床上に物が落下したりすることによって発生する生活騒音が際根太から壁を介して階下に伝搬することを比較的良好に防止するが、壁面に沿って重い家具などの重量物を置いた場合、一般に重量物の奥行が際根太の幅よりも大きいことから、床材が撓み、重量物が手前に（壁面から離れる方向に）傾いたり、それによってきしみ音や振動音などが発生して階下に伝搬することがあった。
【０００５】
したがって、本発明が解決しようとする課題は、木造戸建て住宅の二階や木造集合住宅の二階以上の床下地構造において、壁に沿って家具などの重量物を設置した場合であっても該重量物が手前側に傾いたり、きしみ音が発生して階下に伝搬することを防止することができるような新規な際根太構造を提供することである。
【課題を解決するための手段】
【０００６】
上記の課題を達成するため、請求項１に係る本発明は、床下地構造において基盤と壁との隅に載置される際根太であって、所定間隔をおいて平行に延長する一対の縦材と、これら一対の縦材の表面全長に亘って架け渡される横材とを有して、表面が平滑に形成され、一対の縦材のうち少なくとも壁から離れて位置する縦材の外側面には桟木を連結可能とするための実が形成されることを特徴とする。
【０００７】
請求項２に係る本発明は、床下地構造において基盤と壁との隅に載置される際根太であって、所定間隔をおいて平行に延長する一対の縦材と、これら一対の縦材の内側面間に架け渡される複数の横材とを有して平面視梯子状に形成され、一対の縦材のうち少なくとも壁から離れて位置する縦材の外側面には桟木を連結可能とするための実が形成されることを特徴とする。
【０００８】
請求項３に係る本発明は、請求項１または２記載の際根太において、実が形成される縦材の外側面に実に隣接して段部が形成されることを特徴とする。
【発明の効果】
【００１０】
本発明の際根太は、所定間隔をおいて平行に延長する一対の縦材を有して形成されるので、この上に家具類などの重量物が載置されても、その重量全体を実質的に際根太で支えることができる。したがって、重量物が手前側に傾くことを防止し、安定した設置状態を長期に亘って維持することができる。
【００１１】
また、重量物が手前側に傾くことによって生ずるきしみ音や振動音も防止されるので、これらの騒音が階下に伝搬することがない。
【００１２】
際根太を構成する一対の縦材のうち壁から離れて位置する縦材の外側面に桟木を連結可能とするための実が形成されるので、これを桟木の長手方向の一端に設けられる実に嵌合させることにより、際根太に対して直交方向に設けられる複数の桟木を際根太に確実に連結することができ、床下地構造としての強度が増大する。
【００１３】
また、実が形成される縦材の外側面に実に隣接して段部を形成した構成（請求項３）によれば、該段部で桟木を支持することができ、桟木および桟木上に施工される床板を安定して支持することができる。また、際根太と桟木とを連結固定に際して実だけでなく段部でも支持されることになるので、ビスなどで固定する際に作業が行いやすく、且つ、強固な固定状態が得られる。
【発明を実施するための最良の形態】
【００１４】
本発明の際根太は、基盤と壁との隅に載置されるものであって、たとえば、大引きの上に敷設された厚物合板（特に厚さ２４ｍｍ，２８ｍｍなどが使用される）や、大引きとこの上の根太の上に敷設された１２ｍｍ合板などの上に設けられる。本発明の際根太は、その長手方向に平行または直交する方向に設けられる複数の桟木と、これら桟木の下面と基盤との間で桟木の長手方向に一定間隔で設けられる弾性を有する脚とを備えて構成される床下地構造に用いることができる。このような床下地構造は、木質系の戸建住宅の二階などの床下地、または集合住宅の二階以上の床下地などに好適に適用され、床上で発生する生活騒音が階下に伝搬することを抑制する。
【００１５】
本発明の際根太は、所定間隔をおいて平行に延長する一対の縦材と、これら一対の縦材間に架け渡される横材とを有して形成されるが、一対の縦材の表面全長に亘って横材を架け渡す場合と、一対の縦材間に複数の横材を架け渡す場合との二通りの実施形態を含む。
【００１６】
いずれの実施形態においても、際根太の材質は木質系であり、たとえばＬＶＬ、合板、ＭＤＦなどが用いられる。際根太および縦材の厚さないし高さ（図１のＨ１、図１１のＨ5）は一般に４０〜６０ｍｍであり、際根太の下に設けられる合板と根太ないし大引きの高さ寸法などに応じて選定する。際根太の全幅（図１のＤ１、図１１のＤ３、図１２のＤ４）は一般に２５０〜５００ｍｍであり、使用目的などに応じて適宜に選定する。際根太の全長（図１のＬ１、図１１のＬ３、図１２のＬ４）は一般に５００〜２０００ｍｍとして用意され、そのままの長さで、または施工現場で適宜長さに切断して使用される。施工場所によっては長さ５００ｍｍ以下で使用されることもある。
【００１７】
縦材の幅は一般に３０〜８０ｍｍ、長さは際根太の全長と同じで一般に５００〜２０００ｍｍとして用意される。縦材の裏面（下地材側）には遮音シートなどの軟質シートを設けておいても良い。
【００１８】
一対の縦材の表面全長に亘って横材を架け渡す場合の横材は板状である。この板状横材の長さは縦材の長さ（すなわち際根太の全長）と同じであり、一般に５００〜２０００ｍｍである。この板状横材の幅は際根太の全幅（２５０〜５００ｍｍ）を超えることはないが、その両側縁の少なくとも一部が両側の縦材にかかる幅寸法を有する必要があり、また、厚さは縦材の厚さ範囲内であってたとえば７〜２０ｍｍである。具体的には、一対の縦材の内面側上方角部にそれぞれ板状横材の厚さと等しい深さの切り欠きを形成し、該切り欠きに板状横材の両側縁部を全長に亘って載置嵌合するようにして固着する（図１０（ａ））。あるいは、一方の縦材の内面側上方角部に板状横材の厚さと等しい深さの切り欠きを形成して板状横材の片側縁部をこの切り欠きに載置嵌合すると共に、他方の縦材はあらかじめ板状横材の厚さ分だけ低い高さに形成しておいて板状横材の他側縁部を単に載置して固着しても良い（図１０（ｂ））。あるいは、両方の縦材ともあらかじめ板状横材の厚さ分だけ低い高さに形成しておいて、板状横材の両側縁部をこれら縦材上に載置した状態で固着しても良い（図１０（ｃ））。その他、後述する実施例記載の構成やそれ以外の任意の構成を採用することができるが、いずれにしても、板状横材を架け渡した状態で際根太の表面（縦材および／または板状横材の表面）は平滑になって段差が生じない状態となっている。この実施形態では横材が板状であるため、際根太の上面であればどこでも床板の固定が可能であり、際根太上での床板施工位置を気にせずに床板を施工することができる利点がある。
【００１９】
一方、一対の縦材間に複数の横材を架け渡す場合の横材は棒状であって、略梯子状の際根太として構成される。この棒状横材の長さは際根太の全幅（５００〜２０００ｍｍ）を超えることはないが、その両端が両側の縦材にかかる幅寸法を有する必要があり、厚さは縦材の厚さ範囲内であってたとえば７〜２０ｍｍであり、幅は任意であるが一般に縦材と同様の３０〜８０ｍｍ程度である。棒状横材を複数設ける場合のピッチ（図１１のＰ２、図１２のＰ４）は床板の幅寸法に一致させることが好ましい。この場合も、棒状横材を架け渡した状態で略梯子状の際根太の表面（縦材および棒状横材の表面）は平滑になって段差が生じない状態となっている。この実施形態では間隔をおいて棒状横材が架け渡されているため、棒状横材に床板の側縁部がかかるようにして床板を施工する。
【００２０】
いずれの場合も、一対の際根太のうち少なくとも壁から離れて位置する縦材の外側面には、桟木を連結可能とするための実が形成される。両方の縦材の各外側面に実が設けられていても良い。実の形状は、ほんざね、あいじゃくり、やといさねなど任意の実形状を採用することができる。縦材に形成される実は、桟木先端の実が雄実であるときは該雄実を嵌合可能な形状の雌実として形成され、桟木先端の実が雌実であるときは該雌実に嵌合可能な形状の雄実として形成される。
【００２１】
際根太の実が設けられる縦材の外側面には、実に隣接して段部が形成される。段部の高さ（図１のＨ２）は縦材の厚さから桟木の厚さを減じた寸法であり、すなわち後述する支持脚の高さ（図３のＨ３）と同一寸法である。段部の幅は一般に１０〜３０ｍｍの範囲内で設定される。
【００２２】
際根太は基盤上に載置されるが、必ずしも際根太の下面が全面的に基盤に接触している必要はなく、たとえば際根太の下面に駒またはブロックを適宜ピッチで設けて該駒またはブロックを介して基盤上に支持されるものであっても良い（図１２）。この場合、縦材および横材と基盤との間には隙間が設けられる。また、際根太を構成する縦材の下面または駒ないしブロックの下面に軟質シートを貼着または被着して防音性を高めることができる。
【実施例１】
【００２３】
本発明の一実施例による際根太１０が図１に示されている。この際根太１０は、所定間隔をおいて平行に延長する一対の縦材１１ａ，１１ｂと、これら一対の縦材１１ａ，１１ｂの表面全長に亘って架け渡される板状の横材１２とを有して構成される。この実施例における際根太１０の大きさは、長さＬ１＝１８１８ｍｍ、幅Ｄ１＝３５３ｍｍ、厚さＨ１＝４９．２ｍｍである。縦材１１ａの幅Ｂ１＝５０ｍｍ、縦材１１ｂの幅Ｂ２＝７５ｍｍであり、縦材１１ａ，１１ｂの厚さはいずれも４８ｍｍである。縦材１１ａ，１１ｂの裏面に貼着される遮音シート（図示せず）の厚さは１．２ｍｍである。横材１２の幅Ｃ１＝２５８ｍｍ、厚さは１２ｍｍである。縦材１１ａ，１１ｂの材質はＬＶＬであり、横材１２の材質は合板である。なお、この実施例において縦材１１ａ，１１ｂはいずれも上下２部材を接合して形成されているが、一部材で構成しても良い。
【００２４】
一対の縦材１１ａ，１１ｂのうち壁面から離れて配置される縦材１１ｂの外側面にはその全長に亘って延長する雌実１３が設けられ、更にその外側下方には段部１４が設けられる。段部１４の高さＨ２は２５．２ｍｍである。  各縦材１１ａ，１１ｂの内側面上端角部には切り欠き１５ａ，１５ｂが形成され、これら切り欠き１５ａ，１５ｂに横材１３の側端部を載置して架け渡した状態として、ステープル、釘やビス、接着剤や粘着テープなどで固着することによって、縦材１１ａ，１１ｂと横材１２が一体化され、際根太１０とされる。
【００２５】
この際根太１０は、図２〜図４に示すような床下地構造に用いられる。この床下地構造１は、住宅の床において大引き２の上に敷設された厚物合板３（２４ｍｍ厚）の上に設けられ、その上には床板４が敷設されている。符号５は幅木を示す。この床下地構造１において、際根太１０は厚物合板１と部屋の壁９ａ，９ｂとがなす隅の四周に沿って設けられる。また、床下地構造１は、床板４の長手方向と一致する方向に延長する際根太１０に対して直交する方向に延長するように該際根太１０に連結される複数の桟木６を有する。桟木６の下面には支持脚７が長手方向に一定間隔をおいて設けられ、この支持脚７を介して桟木６を床基盤である厚物合板３上に支持している。床板４はこれら際根太１０および桟木６の上に釘や接着剤など（図示せず）で敷設される。
【００２６】
桟木６は、図５に示すように、その長手方向一端に雄実６１が設けられると共に他端に該雄実６１を嵌合可能な形状の雌実６２が設けられたＬＶＬからなる角棒状の部材である。桟木６の厚さＨ４は際根太１０の高さＨ１より小さいものとし、際根太１０の高さＨ１の１／２程度を目安とする。たとえば、長さＬ２＝９１０ｍｍ、幅Ｄ２＝５０ｍｍ、厚さＨ４＝２４ｍｍである。桟木６の下面には所定ピッチＰ１＝３０３ｍｍで３箇所に穴６３が設けられている。これらの穴６３には支持脚７の上端突起７２（図３）が挿入される。桟木６は、その上面に床板４が付設され、下面には支持脚７が取り付けられるので、その少なくとも上下面は平坦であることが好ましい。また、桟木６の先端側の長さ（最も先端側の穴６３の中心から先端までの長さ）Ｑは、Ｑ＋（際根太１０の縦材１１ａの幅寸法Ｂ１の１／２）が床板４の幅寸法より小さくなるように決められることが好ましく、たとえば、縦材１１ａの幅寸法Ｂ１＝７５ｍｍ、床板幅寸法＝３０３ｍｍのとき、Ｑ＝１２６．５ｍｍとすることができる。
【００２７】
支持脚７は、合成ゴム、天然ゴム、軟質合成樹脂などの弾性を有する材料で形成され、円柱、角柱その他の柱状形状の本体７１と、その上面から突出するように形成された上端突起７２とを有して一体成形される。支持脚７の本体７１は床基盤である厚物合板３上に載置され、突出部７２は桟木６の下面の穴６３に挿入されることにより桟木６に取り付けられる。本体７１の側面には一または複数の環状溝７３が形成されていても良い。
【００２８】
支持脚７の硬さはデユロメータ硬さ（ＪＩＳ  Ｋ６２５３：２００６）でＡ５０〜Ａ９０であることが好ましい。支持脚７の硬さがＡ５０未満であると床のたわみが大きくなって床の平坦度を維持できず、支持脚７の硬さがＡ９０を超えると床の防音性が劣るようになる。この実施例では硬さがＡ７５のものを使用している。
【００２９】
図２に示すように、この実施例では支持脚７を桟木６の下面に取り付けているが、床板４の施工に際して床板４の継目（実位置）が支持脚７の取付位置と重ならないようにすることが好ましい。これは、床板４を桟木６に固定するために床板４の実部分に床板固定釘を打ち込んだときに、該釘が支持脚７に打ち込まれると支持脚７の緩衝作用が損なわれてしまうので、これを避けるためである。
【００３０】
図３を参照して、際根太１０の壁側側面と壁面９ａとの間および床板４の端面と壁面９との間には隙間が設けられ、この隙間に厚さ１〜５ｍｍ程度のクッション材８ａが設けられる。すなわち、際根太１０は、一方の縦材１１ａの側面をクッション材８を介して壁面９に当接させた状態で厚物合板３上に載置される。クッション材８ａは予め際根太１０の縦材１１ａの側面に貼着させておいても良い。クッション材８ａは公知の材質を用いたもので良く、たとえばポリオレフィン樹脂、ウレタン樹脂、アクリル樹脂などの樹脂発泡体や、ネオプレンゴム、ブチルゴムなどの発泡ゴムを利用することができる。
【００３１】
このようにして際根太１０を配置すると、縦材１１ｂが壁面９ａから離れて位置し、雌実１３が室内側に開口する。この雌実１３に桟木６の長手方向一端の雄実６１を嵌合させることにより、桟木６が際根太１０と連結される。桟木６は、その下面の穴６３に上端突起７２を挿入することによって取り付けられた支持脚７を介して厚物合板３上に支持される。かかる取付状態における支持脚１３の高さＨ３は、際根太１０の厚さＨ１＝４９．２ｍｍと桟木６の厚さＨ２＝２４ｍｍとの差に略等しく、この実施例ではＨ３＝２６ｍｍである。
【００３２】
桟木６の長手方向他端には、雄実６１を嵌合可能な形状（したがって際根太１０の縦材１１ｂの外側面に設けられる雌実１３と略同一形状）の雌実６２が形成されているので、これら雄実６１と雌実６２との嵌合を介して長手方向に複数連結して延長させることができる（図２参照）。
【００３３】
このようにして適宜延長された後、桟木６は、図３と反対側の壁面９ｂ近くに設置された際根太１０に対しては、実結合ではなく、寸法調整のために雌実６２側を切断した状態でその木口端部を際根太１０の縦材１１ｂの段部１４上に載置した状態で施工される（図４）。際根太１０の壁側側面と壁面９との間および床板４の端面と壁面９ｂとの間には隙間が設けられ、この隙間に、図３について説明したと同様のクッション材８ｂが設けられる。なお、図４において、際根太１０の縦材１１ｂの側面には雌実１３が設けられているが、上述のように桟木６の雌実６２側は寸法調整のために切断されているので、この雌実１３は桟木６の雄実６２を嵌合するものとしては用いられず、桟木６の該切断端部が隙間２２を残して段部１４上に載置された状態とされる。
【００３４】
次に、図６〜図９を参照して、この床下地構造の施工方法について説明する。この床下地構造は、下記説明から理解されるように、簡易施工ができる利点がある。
【００３５】
まず、図６に示すように、この床下地構造を設ける部屋の下地を調整しておく。すなわち、大引き２などの上に敷設した２４ｍｍ厚の厚物合板３（東京合板工業組合、東北合板工業組合「ネダノン」（商標）など）に墨出し１６を行う。
【００３６】
墨出し１６の後、図７に示すように、基準面より際根太１０を壁面９ａとの間および際根太１１同士の連結部間にそれぞれ３ｍｍの隙間をあけ、長さ７５ｍｍ以上のビス１７で厚物合板３に固定する。
【００３７】
そして、図８に示すように、桟木６の長手方向一端の雄実６１を際根太１０の縦材１１ｂの外側面に開口する雌実１３に差し込み、ビス１８で実部分を固定する。吸音材を用いる場合は、桟木６，６の間に吸音材１９を敷き詰める。吸音材１９はグラスウールやポリエステルなどであり、密度はたとえば３２ｋｇ／ｍ３である。
【００３８】
次いで、図９に示すように、際根太１０および桟木６の表面に接着剤（図示せず）をビート状に塗布し、この上に床材４を壁面９ａから３ｍｍの隙間をあけて載置し、フロアネイルまたはステープルなどの固着具２０で固定する。次に、桟木６を雄実６１と雌実６２との嵌合を介して長手方向に連結し、該実嵌合部に長さ２５ｍｍ程度のビス２１を打ち込んで固定する。このようにして連結していき、雄実６１を差し込んでビス１８で固定した際根太１０Ａに対向する際根太１０Ｂとの間に３〜５ｍｍ程度の隙間１６があくように桟木６の雌実６２側の端部をカットする。このカットされた桟木が符号６’として示されている。
【００３９】
そして、図２に示すように床材４を床下地構造１の全体に施工した後、幅木５を取り付け、接着剤が乾くまで養生する。このようにして、床が完成する。
【００４０】
図１０（ａ）〜（ｄ）は際根太１０の構成についての変形例を示す。図１０（ａ）は実施例１の際根太１０の一対の縦材１１ａ，１１ｂをいずれも単一部材として形成した例である。図１０（ｂ）は縦材１１ｂについては図１０（ａ）の実施例と同様であるが、縦材１１ａについては内側上端角部に切り欠き１５ａを設けることに代えて横材１２の厚さ分だけ高さの低いものとし、その上面に横材１２の側縁部を載置するように構成した例である。図１０（ｃ）は縦材１１ａ，１１ｂをいずれも横材１２の厚さ分だけ高さの低いものとして、それらの上面に横材の両側縁部を載置して架け渡すように構成した例である。この例では、縦材１１ｂに架け渡した横材１２の側縁部を段部１４を覆うように延長させることによって雌実１３を形成している。図１０（ｄ）は縦材１１ａを３つの部材で形成して横材１２の側縁部を受け入れるための切り欠き１５ａを形成し、縦材１１ｂについては図１０（ｃ）の実施例と同様の形状を２つの部材で形成した例である。
【実施例２】
【００４１】
図１１は、本発明の際根太についての別の構成例を示す。この際根太３０は、一対の縦材３１ａ，３１ｂ間に複数の棒状の横材３２が適宜間隔をおいて架け渡されて全体が略梯子状に形成されている。この際根太３０の縦材３１ａ，３１ｂの厚さと横材３２の厚さは等しく、したがって際根太３０の上下面は縦材３１ａ，３１ｂと横材３２とが面一になっている。この実施例における際根太３０の大きさは、長さＬ３＝１８１８ｍｍ、幅Ｄ３＝３２８ｍｍ、厚さＨ５＝４８ｍｍである。また、横材３２の取付ピッチＰ２＝３０３ｍｍ、縦材３１ａ，３１ｂの幅Ｂ３＝５０ｍｍ、横材の幅＝２２８ｍｍである。縦材３１ａ，３１ｂと横材３２の材質はいずれもＬＶＬである。壁面から離れて位置する側の縦材３１ｂの外側面には桟木先端の雄実６１を嵌合するための雌実３３が形成されている。
【００４２】
上記以外については実施例１と同様であり、この際根太３０を用いた床下地構造およびその施工についても同様であるので、これらについては説明を省略する。
【実施例３】
【００４３】
図１２は、本発明の際根太についてのさらに別の構成例を示す。この際根太４０は、一対の縦材４１ａ，４１ｂ間にこれらと同一の厚さ（Ｈ６）の複数の棒状の横材４２が適宜間隔（取付ピッチＰ４）をおいて架け渡されて全体が略梯子状に形成されている点では実施例２と同様であるが、縦材４１ａ，４１ｂの下面に、横材４２の取付位置に対応して横材取付ピッチと同一のピッチＰ４＝３０３ｍｍで直方体状のブロック４４が固定され、さらにブロック４４の下面に厚さ１ｍｍ程度の軟質シート４５が貼着されている。この実施例の際根太４０の大きさは、長さＬ４＝１８１８ｍｍ、幅Ｄ４＝３２８ｍｍであり、縦材４１ａ，４１ｂの厚さＨ６＝２４ｍｍ、ブロック４４の厚さＨ７＝２４ｍｍである。縦材４１ｂの外側面に雌実４３が形成されている点は前述の際根太３０と同様である。縦材４１ａ，４１ｂの幅は５０ｍｍ、横材４２の長さと幅はそれぞれ２２８ｍｍ，１００ｍｍである。縦材４１ａ，４１ｂと横材４２の材質はいずれもＬＶＬである。
【００４４】
上記以外については実施例１と同様であり、この際根太４０を用いた床下地構造およびその施工についても同様であるので、これらについては説明を省略する。
【図面の簡単な説明】
【００４５】
【図１】本発明の一実施例による際根太を示す平面図（ａ）、正面図（ｂ）および右側面図（ｃ）である。
【図２】この際根太を使用した床下地構造を大部分の床板を取り除いた状態で示す斜視図である。
【図３】図２におけるＡ−Ａ断面図である。
【図４】図３とは反対側の壁面近くの図３と同様の断面図である。
【図５】この床下地構造に用いる桟木を示す正面図（ａ）および平面図（ｂ）である。
【図６】この床下地構造の施工方法を示す図である。
【図７】同じく、この床下地構造の施工方法を示す図である。
【図８】同じく、この床下地構造の施工方法を示す図である。
【図９】同じく、この床下地構造の施工方法を示す図である。
【図１０】際根太の構成についての変形例を示す図１（ｃ）と同様の右側面図である。
【図１１】本発明の際根太の別の構成例を示す正面図（ａ）、平面図（ｂ）および右側面図（ｃ）である。
【図１２】本発明の際根太のさらに別の構成例を示す正面図（ａ）、平面図（ｂ）および右側面図（ｃ）である。
【符号の説明】
【００４６】
１  床下地構造
２  大引き
３  厚物合板（基盤）
４  床板
５  幅木
６  桟木
７  支持脚
８ａ，８ｂ  クッション材
９ａ，９ｂ  壁面
１０  際根太
１１ａ，１１ｂ  縦材
１２  横材
１３  雌実（実）
１４  段部
３０  際根太
３１ａ，３１ｂ  縦材
３２  横材
３３  雌実（実）
４０  際根太
４１ａ，４１ｂ  縦材
４２  横材
４３  雌実（実）
４４  ブロック
４５  軟質シート
【図１】
0005220459.tif 000002
【図２】
0005220459.tif 000003
【図３】
0005220459.tif 000004
【図４】
0005220459.tif 000005
【図５】
0005220459.tif 000006
【図６】
0005220459.tif 000007
【図７】
0005220459.tif 000008
【図８】
0005220459.tif 000009
【図９】
0005220459.tif 000010
【図１０】
0005220459.tif 000011
【図１１】
0005220459.tif 000012
【図１２】
0005220459.tif 000013